(57)【要約】      （修正有）【課題】内容物の充填によって、包装袋にピンホールが生じたり、破袋する恐れのない縦ピロー充填包装機を提供する。【解決手段】包装機は、フィルム１の巻き出し機構２０、搬送機構３０、製袋機構４０、内容物の充填機構５０、および包装袋１０の分離機構６０から構成されており、フィルムの巻き出し機構によって巻き出され、搬送機構によって製袋機構に供給され、製袋機構は、包装袋を形成するものであり内容物の充填機構は、投入口とそれに続く投入路、および可動式の受け板を備えており、可動式の受け板は、投入された内容物をいったん受け止めたのち、開口して包装袋に投下して充填するものであり、さらに、充填および密封済みの包装袋を個々に切り離す、前記包装袋の分離機構を備えた、縦ピロー充填包装機１００。【選択図】図１
2020192983.tif 000002
【特許請求の範囲】
【請求項１】
連続するプラスチックフィルムを材料として、連続した包装袋の製袋と内容物の充填とを、同時に行うことのできる包装機であって、
この包装機は、フィルムの巻き出し機構、搬送機構、製袋機構、内容物の充填機構、および包装袋の分離機構から構成されており、
連続するプラスチックフィルムは、ロール状に巻き取られた状態からフィルムの巻き出し機構によって巻き出され、搬送機構によって製袋機構に供給され、
前記製袋機構は、プラスチックフィルムの、両端部を合わせて縦方向のシールをして、包装袋胴部を筒状に形成する機構と、筒状に形成されたプラスチックフィルムを横方向にシールする機構とを備えており、
この横方向にシールする機構は、充填前に包装袋の底部を密封して形成し、また、内容物が充填された後に、包装袋の上部を密封して包装袋を形成するものであり
前記内容物の充填機構は、投入口とそれに続く投入路、および可動式の受け板を備えており、
この可動式の受け板は、投入された内容物をいったん受け止めたのち、開口して包装袋に投下して充填するものであり、
さらに、充填および密封済みの包装袋を個々に切り離す、前記包装袋の分離機構を備えた、縦ピロー充填包装機。
【請求項２】
前記可動式の受け板は、２枚の板で構成され、下方に向けて観音開きに可動であることを特徴とする、請求項１に記載の縦ピロー充填包装機。
【請求項３】
前記筒状に形成されたプラスチックフィルムを、横方向にシールする機構は、充填前の包装袋の底部と、充填後の包装袋の上部の２か所を、同時にシールする機構であることを特徴とする、請求項１または請求項２に記載の縦ピロー充填包装袋。
【請求項４】
前記搬送機構において、プラスチックフィルムに対するレーザー光照射装置を備えていることを特徴とする、請求項１〜請求項３のいずれかに記載の縦ピロー充填包装機。
【請求項５】
前記製袋機構において、両端部を合わせて縦方向のシールをして、包装袋胴部を筒状に形成すると同時に、縦方向にヘムシールを形成する機構を備えていることを特徴とする、請求項１〜請求項４のいずれかに記載の縦ピロー充填包装機。
【発明の詳細な説明】
【技術分野】
【０００１】
本発明は、包装機に関するものである。特に、プラスチックフィルムからなる包装材料を連続的に製袋すると同時に、内容物を充填することのできる、縦ピロー充填包装機に関するものである。
【背景技術】
【０００２】
包装材料のうち、プラスチックフィルムを基材とする単体または積層体から構成されるものは広く普及しており、さまざまな形態のものが、幅広い用途に用いられており、現代生活にとっては不可欠なものとなっている。
【０００３】
プラスチックフィルムを用いる場合には、缶や瓶などの容器に比べて、価格が安いことや、要求品質によってきめ細かい材料設計で対応できる点が挙げられる。また、廃棄物を減らすという観点からは環境適応型であるといえる。
【０００４】
また表面から見える層への高精細の印刷によって、商品のイメージアップを図ることができ、内容物に関する必要な情報を表示することが可能であり、バーコードの印刷などは、商品の流通やマーケティング情報の源泉ともなっている。
【０００５】
一方で、プラスチックフィルムからなる包装袋において、包装袋の製袋、また内容物の充填、密封を同時に行うことができれば、生産性は向上し、またコスト面でも有利なものとなる。
【０００６】
例えば、縦ピロー充填包装機は、インライン上でプラスチックフィルム、もしくはプラスチックフィルムを基材とする積層体を連続的に製袋し、同時に内容物を充填するものであって、さらにレーザーマーカーを用いる場合には、プラスチックフィルムに対して包装袋開封時の直進カット性や、易開封性を付与することも可能である。
【０００７】
特許文献１には、内容物入りのフィルム包装袋の製造装置およびその製造方法として、横断面が正方形をなす、角柱型のガゼット袋において、自立可能な、内容物入りのフィルム包装袋の製造方法および製造装置の提案がなされているが、内容物の充填方法が上方からの落下によるものであるために、内容物が包装袋底部に衝突するなどして、包装袋にピンホールが生じたり、破袋する恐れもあった。
【先行技術文献】
【特許文献】
【０００８】
【特許文献１】特開２０１５−２１７９８５号公報
【発明の概要】
【発明が解決しようとする課題】
【０００９】
本発明は、かかる状況に鑑みてなされたものであり、縦ピロー充填包装機において、内容物の充填によって、包装袋にピンホールが生じたり、破袋する恐れのない縦ピロー充填包装機を提供することを課題とする。
【課題を解決するための手段】
【００１０】
上記の課題を解決するための手段として、請求項１に記載の発明は、
連続するプラスチックフィルムを材料として、連続した包装袋の製袋と内容物の充填とを、同時に行うことのできる包装機であって、
この包装機は、フィルムの巻き出し機構、搬送機構、製袋機構、内容物の充填機構、および包装袋の分離機構から構成されており、
連続するプラスチックフィルムは、ロール状に巻き取られた状態からフィルム巻き出し機構によって巻き出され、搬送機構によって製袋機構に供給され、
前記製袋機構は、プラスチックフィルムの、両端部を合わせて縦方向のシールをして、包装袋胴部を筒状に形成する機構と、筒状に形成されたプラスチックフィルムを横方向にシールする機構とを備えており、
この横方向にシールする機構は、充填前に包装袋の底部を密封して形成し、また、内容物が充填された後に、包装袋の上部を密封して包装袋を形成するものであり
前記内容物の充填機構は、投入口とそれに続く投入路、および可動式の受け板を備えており、
この可動式の受け板は、投入された内容物をいったん受け止めたのち、開口して包装袋に投下して充填するものであり、
さらに、充填および密封済みの包装袋を個々に切り離す、前記包装袋の分離機構を備えた、縦ピロー充填包装機である。
【００１１】
また、請求項２に記載の発明は、
前記可動式の受け板は、２枚の板で構成され、下方に向けて観音開きに可動であることを特徴とする、請求項１に記載の縦ピロー充填包装機である。
【００１２】
また、請求項３に記載の発明は、
前記筒状に形成されたプラスチックフィルムを、横方向にシールする機構は、充填前の包装袋の底部と、充填後の包装袋の上部の２か所を、同時にシールする機構であることを特徴とする、請求項１または請求項２に記載の縦ピロー充填包装袋である。
【００１３】
また、請求項４に記載の発明は、
前記搬送機構において、プラスチックフィルムに対するレーザー光照射装置を備えていることを特徴とする、請求項１〜請求項３のいずれかに記載の縦ピロー充填包装機である。
【００１４】
また、請求項５に記載の発明は、
前記製袋機構において、両端部を合わせて縦方向のシールをして、包装袋胴部を筒状に形成すると同時に、縦方向にヘムシールを形成する機構を備えていることを特徴とする、請求項１〜請求項４のいずれかに記載の縦ピロー充填包装機である。
【発明の効果】
【００１５】
本発明によれば、縦ピロー充填包装機において、内容物の充填によって、包装袋にピンホールが生じたり、破袋する恐れのない縦ピロー充填包装機を提供することが可能である。
【００１６】
特に請求項２に記載の発明によれば、可動式の受け板は、２枚の板で構成され、下方に向けて観音開きに可動であることによって、包装袋にピンホールが生じたり、破袋する恐れのない縦ピロー充填包装機をより効果的な形で提供することが可能である。
【００１７】
特に請求項３に記載の発明によれば、筒状に形成されたプラスチックフィルムを、横方向にシールする機構は、充填前の包装袋の底部と、充填後の包装袋の上部の２か所を、同時にシールする機構であることによって、より生産性の高い、効率的な縦ピロー充填包装機を提供することが可能である。
【００１８】
特に請求項４に記載の発明によれば、搬送機構において、プラスチックフィルムに対す
るレーザー光照射装置を備えていることによって、開封の際に直進カット性、易開封性を備えた包装袋の製造装置とすることができ、インラインであることにより、効率的な生産も可能である。
【００１９】
特に請求項５に記載の発明によれば、製袋機構において、両端部を合わせて縦方向のシールをして、包装袋胴部を筒状に形成すると同時に、縦方向にヘムシールを形成する機構を備えていることによって、より形状保持に優れた包装袋の製造装置とすることができ、インラインであることにより、効率的な生産も可能である。
【図面の簡単な説明】
【００２０】
【図１】図１は、本発明に係る縦ピロー充填包装機の、全体の構成要素を説明するための斜視模式図である。
【図２】図２は、本発明に係る縦ピロー充填包装機の、各構成要素の仕組みを説明するための斜視模式図である。
【図３】図３は、本発明に係るピロー充填包装機の、特に可動式の受け板の部分を説明するための斜視模式図である。
【図４】図４は、本発明に係るピロー充填包装機の、特に可動式の受け板の部分が閉じた状態を説明するための斜視模式図である。
【図５】図５は、本発明に係るピロー充填包装機の、特に可動式の受け板が開いて内容物が充填される様子を説明するための斜視模式図である。
【発明を実施するための形態】
【００２１】
以下、本発明を図を参照しながら、更に詳しい説明を加える。ただし本発明は、ここに示す例にのみ限定されるものではない。本発明は、請求項によって限定されるものである。
【００２２】
図１は、本発明に係る縦ピロー充填包装機の、全体の構成要素を説明するための斜視模式図である。
【００２３】
本発明は、包装機に関するものである。特にピロー充填包装機（１００）であって、この包装機は、連続するプラスチックフィルムを材料として、連続した製袋と内容物の充填とを、同時に行うことのできる包装機である。
【００２４】
このピロー充填包装機（１００）は、フィルムの巻き出し機構（２０）、搬送機構（３０）、製袋機構（４０）、内容物の充填機構（５０）、および包装袋（１０）の分離機構（６０）から構成されている。
【００２５】
また、本発明においては、上記構成要素に加えて、付帯設備を設けることが可能である。例えば、図１に示す例において、付帯設備として搬送機構（３０）には、レーザー光照射装置（３１）を、製袋機構（４０）には、ヘムシールのシールバー（４１）を備えた例である。
【００２６】
図２は、本発明に係る縦ピロー充填包装機の、各構成要素の仕組みを説明するための斜視模式図である。
【００２７】
連続するプラスチックフィルム（１）は、ロール状に巻き取られた状態からフィルムの巻き出し機構（２０）によって巻き出され、ガイドロール（２）を有する搬送機構（３０）によって、製袋機構（４０）に供給される。
【００２８】
図２に示す例においては、搬送機構（３０）に、付帯設備としてプラスチックフィルム
（１）に対する、レーザー光照射装置（３１）を備えている例であって、この場合には、プラスチックフィルム（１）に対するレーザー光照射装置（３１）を備えていることによって、内容物を充填済みの包装袋（１０）に、開封の際の直進カット性、易開封性を付与することが可能である。
【００２９】
製袋機構（４０）は、プラスチックフィルム（１）の、両端部を合わせて縦方向のシール部（６）を形成して、包装袋胴部を筒状に形成する機構と、筒状に形成されたプラスチックフィルムを横方向にシールする機構とを備えている。図２に示す例においては、縦方向のシールは縦方向のシールバー（５）で行われるのであり、横方向のシールはシールバー（７）によって行われる。
【００３０】
この横方向にシールする機構は、内容物の充填前に包装袋の底部（８）を密封して形成し、また、内容物が充填された後に、包装袋の上部（９）を密封して包装袋（１０）を形成するものである。
【００３１】
図２に示す例においては、これらの２箇所の横方向のシールを、２本のシールバーを一体化させて、同時にシールすることを可能にした例である。また、このシールバーは、表裏一対のシールバー（７）となっている。
【００３２】
また、製袋機構（４０）において、両端部を合わせて縦方向のシール部（６）を形成して、包装袋胴部を筒状に形成すると同時に、縦方向にヘムシールを形成する機構を備えることも可能であり、例えば四角柱に形成された、包装袋胴部の４隅に沿って、ヘムシールのシールバー（４１）を配置することができる。このヘムシールのシールバー（４１）を備えた例は、図１において示してある。
【００３３】
縦方向にヘムシールを形成する機構を備えていることによって、その部分が補強されるため、より形状保持に優れた包装袋の製造装置とすることができ、この機構がインラインであることにより、効率的な包装袋の生産も可能である。
【００３４】
例えば、包装袋の内容物が食品などの場合には、開封後もその形態が維持しやすいために取り出しが便利になるばかりでなく、餐具を用いるなどして包装袋からの直接の喫食も可能である。
【００３５】
内容物の充填機構（５０）は、投入口（２５）とそれに続く投入路（４）、および可動式の受け板を備えており、この可動式の受け板は、矢印（３）の方向に投入された内容物を、一旦受け止めたのち、開口して包装袋に投下して充填するものである。
【００３６】
この可動式の受け板は、図２においては示されていないが、図３〜図５において、可動式の受け板（１３）として示してある。
【００３７】
この可動式の受け板（１３）については、図３〜図５においてあらためて説明を加えるが、例えば可動式の受け板（１３）を２枚の板で構成して、下方に向けて観音開きに開閉なものとすることができる。
【００３８】
本発明による縦ピロー充填包装機（１００）においては、さらに内容物を充填済みの包装袋（１０）を個々に切り離す、包装袋の分離機構（６０）を備えたものであって、個々の包装袋を完成形で製造することができるものである。分離は例えば刃物等を用いて、２箇所の横方向のシールの間を、水平方向にカットするなどして行うことができる。
【００３９】
図３は、本発明に係るピロー充填包装機の、特に可動式の受け板の部分を説明するため
の斜視模式図である。
【００４０】
前述のように、本発明による縦ピロー充填包装機（１００）においては、製袋機構（４０）において、縦方向のシール部（６）は縦方向のシールバー（５）によって形成される。それに対して、さらに製袋するための横方向にシールする機構は、充填前に包装袋の底部（８）を密封して形成し、また、内容物が充填された後に、包装袋の上部（９）を密封して包装袋（１０）を形成するものである。
【００４１】
これは、一対のシールバーが、矢印（１１）に示される、水平方向の動きによって、筒状に形成された包装袋の胴部を挟み込んでシールするものである。また図３に示す例においては、各シールバーは、２箇所の横方向のシールを、２本のシールバーを一体化させて、同時にシールすることを可能にした例である。
【００４２】
すなわち、図３に示す例においては、シールバー（７）のうち、上側のシールバー（１５）は包装袋の底部のシール（１７）によって、包装袋の底部（８）を密閉して形成することができる。
【００４３】
またシールバー（７）のうち下側のシールバー（１６）によって、すでに内容物の充填が完了した包装袋の、上部のシール（１８）によって、包装袋（１０）全体を密閉して形成することができる。
【００４４】
図３に示す例において、可動式の受け板（１３）は製袋機構（４０）において、４本の柱（１９）の下部を支点（１４）として、２枚の可動式の受け板（１３）が、下方に観音開きに開閉できる構造としたものである。
【００４５】
この可動式の受け板（１３）の開閉は、たとえばシールバー（７）の、図中矢印（１１）で示すような、水平方向の動きによって行うことも可能である。あるいは、別の冶具等を用いて、包装袋の外側から、包装袋胴部を構成するプラスチックフィルムを介して押すなどして矢印（１２）に示されるように、可動式の受け板（１３）を閉じるようにすることも可能である。
【００４６】
本発明においては、この可動式の受け板（１３）が、閉じることによって、内容物の充填機構の投入口（２５）から投入された内容物を、一旦この閉じた可動式の受け板（１３）で保持して、包装袋の底部（８）への衝撃を和らげる機構としたものである。
【００４７】
すなわち、本発明による縦ピロー充填包装機（１００）においては、内容物の充填によって、包装袋にピンホールが生じたり、破袋する恐れのない縦ピロー充填包装機（１００）を提供することを可能にするものである。
【００４８】
図４は、本発明に係るピロー充填包装機の、特に可動式の受け板の部分が閉じた状態を説明するための斜視模式図である。
【００４９】
図２における矢印（３）に示される方向に、内容物の充填機構（５０）の投入口（２５）から投入された内容物は、可動式の受け板（１３）が水平に閉じていることによって、内容物（２２）として、ここで堆積して保持される。
【００５０】
すなわち、投入された内容物が、直接包装袋に接触、衝突することを回避することが可能であることによって、包装袋にピンホールが生じたり、破袋する恐れのない縦ピロー充填包装機（１００）の実現が可能になるのである。
【００５１】
この時、図３の状態に比べて、筒状の包装袋の胴部は下方に送られているのであって、可動式の受け板（１３）が開くことによって、底部（８）がすでに形成されている包装袋への充填が可能である。また、図４で示す例においては、可動式の受け板（１３）の開閉は、支点（１４）を中心にして行われる例である。
【００５２】
図５は、本発明に係るピロー充填包装機の、特に可動式の受け板が開いて内容物が充填される様子を説明するための斜視模式図である。
【００５３】
一旦可動式の受け板（１３）で受け止められて保持された内容物は、可動式の受け板（１３）が矢印（２３）の方向に開くことによって、包装袋に投下され、包装袋は底部（８）でシールされ密封されているので、内容物（２２）の充填が行われる。このとき投入口から直接投入された場合に比べて、可動式の受け板（１３）からのほうが底部までの距離も短く、したがって底部に対する衝撃も少ない。
【００５４】
このように本発明によれば、縦ピロー充填包装機において、内容物の充填によって、包装袋にピンホールが生じたり、破袋する恐れのない縦ピロー充填包装機を提供することが可能である。
【符号の説明】
【００５５】
１・・・プラスチックフィルム
２・・・ガイドロール
３・・・矢印
４・・・投入路
５・・・縦方向のシールバー
６・・・縦方向のシール部
７・・・シールバー
８・・・底部
９・・・包装袋の上部
１０・・・包装袋
１１・・・矢印
１２・・・矢印
１３・・・可動式の受け板
１４・・・支点
１５・・・上側のシールバー
１６・・・下側のシールバー
１７・・・底部のシール
１８・・・上部のシール
１９・・・柱
２０・・・フィルムの巻き出し機構
２２・・・内容物
２３・・・矢印
２５・・・投入口
３０・・・搬送機構
３１・・・レーザー光照射装置
４０・・・製袋機構
４１・・・ヘムシールのシールバー
５０・・・内容物の充填機構
６０・・・包装袋の分離機構
１００・・・縦ピロー充填包装機
【図１】
2020192983.tif 000003
【図２】
2020192983.tif 000004
【図３】
2020192983.tif 000005
【図４】
2020192983.tif 000006
【図５】
2020192983.tif 000007